(57)【特許請求の範囲】
【請求項１】
ケースと、該ケース内に配置され、転写層を備えた転写テープが巻回された供給リールと、先端部が前記ケースに設けた開口から突出し、前記供給リールから繰り出されたテープが前記先端部を回って前記ケース内に戻るように構成された転写ヘッドと、該転写ヘッドの先端部近傍において前記転写ヘッドの周囲を囲んで前記転写ヘッドに取り付けられたヘッドカバーとを備え、前記ヘッドカバーは該カバーの内周に軸方向に形成された溝に前記転写ヘッドの両側縁部が嵌合して取り付けられた塗膜転写具において、前記ヘッドカバーが覆っている範囲において、前記転写ヘッドの前記移動するテープが対向する面上に、突起が設けられたことを特徴とする塗膜転写具。
【請求項２】
前記突起は、転写ヘッドの先端部近傍の上下面上にそれぞれ設けられたことを特徴とする請求項１に記載した塗膜転写具。
【発明の詳細な説明】
【０００１】
【発明の属する技術分野】
本発明は塗膜転写具、詳しくは転写テープの転写層（塗膜）を被転写材（各種用紙，印刷紙等）に転写する塗膜転写具に関する。
【０００２】
【従来の技術】
一般に、転写テープの転写層を被転写材に転写させて、作成文章の特定部分を消去したり、印刷物の特定部分をマークする等が行われている。
【０００３】
ところで、従来、転写ヘッドの先端部近傍の両側面にテープを案内する案内片を一体に設けることが行われたが、図４〜図６に示すような、筆記具感覚で握って使用するタイプのものでは、転写ヘッド３２が長く（ヘッド先端３２ａが供給リール又は巻取リールからの距離が大きい）、テープが移動中に左右に振れて、そのためにテープが案内片から外れてしまう。
【０００４】
そこで、筒状のヘッドカバー３５が用いられ、転写ヘッド３２の両側縁部がヘッドカバー３５の内壁嵌合溝３６に嵌合し、また転写ヘッド３２の両側面に設けられた嵌着突起３７ａとヘッドカバー３５の内壁嵌合溝３６に形成された嵌着凹部３７ｂとが係合して、転写ヘッド３２にヘッドカバー３５が位置決め固定され、テープＴ１および転写層Ｔ２が剥離された後のテープＴを案内し、保護している。
【０００５】
しかしながら、このような構造の塗膜転写具の先端形状であると、相当精密に加工を行っても、テープが略それに沿って移動することとなる転写ヘッド３２の上下面３８ａ，３８ｂとヘッドカバー３５の内壁嵌合溝３６の間に隙間αが生じ易い（図７参照）。
【０００６】
したがって、転写の際にテープが左右に振れると、転写テープＴ１および転写層Ｔ２が剥離された後のテープＴが、転写ヘッド３２とヘッドカバー３５の内壁嵌合溝３６の間に生ずる隙間αに入り込み、振れ転写層（塗膜）Ｔ２が剥がれたり、さらには隙間に入ったテープのためにテープの繰り出しができなくなり、安定した転写が行われないことがあった。
【０００７】
特に筆記具感覚で握って使用するタイプでは、テープの移動距離が長く、ヘッドの先端に近い部分では、テープがヘッドの上下面に接触した状態で移送するので、テープが左右に振れると隙間αに入り込んでしまう。特に近年は、テープの薄型化の傾向があり、この問題は益々顕著となる。
【０００８】
【発明が解決しようとする課題】
本発明は、上記問題点に鑑みてなされたもので、その目的は転写ヘッドとヘッドカバーの内壁嵌合溝との間の隙間にテープが入り込むのを防止して、安定した転写層の転写を可能にする塗膜転写具を提供することにある。
【０００９】
【課題を解決するための手段】
上記目的を達成するための本発明に係る塗膜転写具では、ケースと、該ケース内に配置され、転写層を備えた転写テープが巻回された供給リールと、先端部がケースに設けた開口から突出し、供給リールから繰り出されたテープが先端部を回ってケース内に戻るように構成された転写ヘッドと、該転写ヘッドの先端部近傍において転写ヘッドの周囲を囲んで転写ヘッドに取り付けられたヘッドカバーとを備え、ヘッドカバーは該カバーの内周に軸方向に形成された溝に記転写ヘッドの両側縁部が嵌合して取り付けられた塗膜転写具において、ヘッドカバーが覆っている範囲において、転写ヘッドの移動するテープが対向する面上に、突起が設けた。
【００１０】
この塗膜転写具では、転写ヘッドの先端部近傍の面上に突起が設けられているため、その突起によりテープの移動位置が転写ヘッドの面から所定距離離れる。したがって、テープの位置が、転写ヘッドとヘッドカバーの内壁嵌合溝との間に生ずる隙間の位置からずれて、テープが隙間に入り込まなくなる。つまり、テープは、ヘッドカバーの案内壁となる内壁側面に案内されて隙間に入る込むことなく移動する。
【００１１】
他の実施の形態においては、突起が、転写ヘッドの先端部近傍の上下面上にそれぞれ設けられている。
【００１２】
この塗膜転写具では、突起が先端部近傍の上下面上にそれぞれ設けられているため、転写テープおよび転写層が剥離された後のテープの移動位置が転写ヘッドの上下面から所定距離離れる。
【００１３】
したがってテープが、転写ヘッドとヘッドカバーの内壁嵌合溝との間に生ずる上下隙間に入り込むのが防止されることになる。
【発明の実施の形態】
以下、本発明の実施形態を、図面に基づいて詳細に説明する。
【００１４】
図１は、本発明に係る塗膜転写具の一実施形態を示し、その要部分解傾視図である。図２は図１の横断面図、図３は図２のＡ−Ａ拡大断面図である。
【００１５】
本実施形態の塗膜転写具１０は、転写テープＴ１が巻回された供給リール１１と、テープＴ（転写テープＴ１および転写層Ｔ2 が剥離された後のテープＴ）がその上下面に略沿った状態で移動する転写ヘッド１２と、転写ヘッド１２に冠着された筒状のヘッドカバー１５と、転写層Ｔ２が剥離された後のテープＴを巻き取る巻取リール１３がケース（図示しない）に設けられている。
【００１６】
供給リール１１は、保持部１４に設けられた回転軸に支持され、テープＴに転写層Ｔ２を設けた転写テープＴ１を巻回している。
【００１７】
転写ヘッド１２は、転写テープＴ１および転写層Ｔ２が剥離された後のテープＴを案内するケースの開口から突出した板状の部材で、供給リール１１から繰り出された転写テープＴ１を先端部１２ａに案内し、先端部１２ａの位置でテープＴを折返して巻取リール１３側へ戻している。
【００１８】
すなわち、供給リール１１から繰り出された転写テープＴ１は、先端部１２ａにおいて被転写材Ａに押し付けられて転写層Ｔ２が剥離され、剥離された後のテープＴが巻取リール１３側に戻され、巻き取られる。
【００１９】
また、転写ヘッド１２には、ヘッドカバー１５が覆っている範囲で、先端部１２ａに近い位置で上下面１８ａ，１８ｂ上に、テープＴの幅方向に伸びる突起１９ａがそれぞれ設けられている。本実施の形態ではさらに、上面１８ａ上に、突起１９ａから巻取リール１３側に向かって若干隔てて別の突起１９ｂが設けられている。
【００２０】
この先端部１２ａ近傍の上下面１８ａ，１８ｂ上に設けられた突起１９ａによって、テープＴの移動する位置が、転写ヘッド１２の上下面１８ａ，１８ｂから所定距離離れる。また、巻き取り側ではテープに弛みが発生しがちであるが、突起１９ａを設けているので、多少の弛みが生じても、長い範囲に渡ってテープがヘッドの上面１８ａに接しないようになっている。
【００２１】
したがって、転写テープＴ１および転写層Ｔ２が剥離された後のテープＴの位置が、転写ヘッド１２とヘッドカバー１５の内壁嵌合溝１６との間に生ずる隙間αの位置からずれて、これにより、テープＴが隙間αに入る込まなくなる。
【００２２】
巻取リール１３は、保持部１４に設けられた別の回転軸に支持され、転写層Ｔ２が剥離された後のテープＴを巻き取っている。ヘッドカバー１５は、転写テープＴ１および転写層Ｔ２が剥離された後のテープＴを案内し保持するもので、内壁面には転写ヘッド１２と嵌合する内壁嵌合溝１６が形成され、またテープ案内壁になる内壁側面１５ａが左右に設けられている。
【００２３】
更に、内壁の左右の嵌合溝１６には、転写ヘッド１２の両側面に設けられた嵌着突起１７ａと係合する嵌着凹部１７ｂが設けられている。そして、転写ヘッド１２がヘッドカバー１５の内壁嵌合溝１６に嵌合し、また転写ヘッド１２の両側面に設けられた嵌着突起１７ａとヘッドカバー１５の内壁嵌合溝１６に形成された嵌着凹部１７ｂとの係合によって、ヘッドカバー１５が転写ヘッド１２に位置決め固定されている。
【００２４】
使用時（転写の際）には、先端部１２ａを被転写材（図示せず）の特定部分に当接し、塗膜転写具１０を一定方向に移動させることによって、転写テープＴ１が供給リール１１から繰り出され、転写テープＴ１の転写層Ｔ２が被転写材に転写されて作成文章の特定部分が消去され、または糊が特定部分に塗布されたりすることとなる。
【００２５】
この際、転写ヘッド１２の先端部１２ａ近傍の上下面１８ａ，１８ｂに設けられた突起１９ａ，１９ｂにより、転写テープＴ１および転写層Ｔ２が剥離された後のテープＴの移動位置が、隙間αの位置から離れて、転写テープＴ１およびテープＴは、ヘッドカバー１５の案内壁となる内壁側面１５ａに案内されて隙間αに入り込むことがなく移動できる。
【００２６】
したがって、テープＴの左右の振れおよび転写層Ｔ２の剥がれがなくなり、またテープの隙間への食い込みによりテープの繰り出しが行えなくなる等の事態は生じない。従って安定した転写層Ｔ２の転写を行うことができる。転写層Ｔ２が剥離された後のテープＴは、巻取リール１３に巻き取られて収容される。
【００２７】
この実施形態では、転写層Ｔ２が剥離された後のテープＴは、巻取リール１３によって収容する方式を採用しているが、例えばテープ収容部を螺旋形空間部にして、剥離後のテープＴを螺旋状に巻いて収容する方式を採用することもでき、またテープ収容部を箱型空間部にして、剥離した後のテープＴを蛇行状に折り畳んで収容する方式を採用することもできる。勿論、収容部は必須ではない。
【００２８】
以上、本発明の実施形態を説明したが、本発明は上述したものに限定されるものではない。
【００２９】
例えば、実施形態では、先端部１２ａ近傍の上下面１８ａ，１８ｂ上に、突起１９ａをそれぞれ設け、また突起１９ａからわずか隔てて突起１９ｂを設けているが、上下面１８ａ，１８ｂ上の何方か一方側のみに、１つの突起を設けてもよく、また上下面上に移動方向に沿って突起を複数設けてもよい。
【００３０】
また、実施形態では、突起１９ａおよび突起１９ｂは断面形状を円弧状にしている。これら突起１９ａ，１９ｂを、断面形状円弧としたのは、接触抵抗を小さくするためである。
【００３１】
しかし、突起は、接触抵抗が若干大きくなるが、例えば断面形状が台形形状，三角形状，丸味のある矩形形状やその他の立体形状を採用することができる。
【００３２】
更には、テープとの接触抵抗を少なくするために、等間隔にテープ移動方向に多数のスリットを形成した立体形状を採用することもできる。
【発明の効果】
以上説明したように本発明によれば、ヘッドカバーが覆っている範囲において、転写ヘッドのテープに対向する面に突起を設けたことで、テープの移動位置が転写ヘッドの面から所定距離離れて、テープが転写ヘッドとヘッドカバーの内壁嵌合溝との間に生ずる隙間に入り込まなくなる。
【００３３】
したがって、テープの左右の振れや転写層の剥がれが防止されて、テープの繰り出し不能等の事態も生じなくなり、安定した転写層の転写が可能となる。
【００３４】
また、本発明によれば、突起をヘッド先端近傍の上下面上にそれぞれ設けたことで、テープの移動位置が転写ヘッドの上下面からそれぞれ所定距離離れて、転写テープおよび転写層が剥離された後のテープが、転写ヘッドとヘッドカバーの内壁嵌合溝との間に生ずる上下隙間に入り込むのが防止される。
【図面の簡単な説明】
【図１】本発明の一実施形態に係る塗膜転写具の要部分解傾視図である。
【図２】図１で示した構成の塗膜転写具の横断面図である。
【図３】図２のＡ−Ａ拡大断面図である。
【図４】従来の塗膜転写具の要部分解傾視図である。
【図５】図４に示した構成の塗膜転写具の横断面図である。
【図６】図５のＢ−Ｂ拡大断面図である。
【符号の説明】
１０  塗膜転写具
１１  供給リール
１２  転写ヘッド
１２ａ  先端部
１３  巻取リール
１５  ヘッドカバー
１８ａ，１８ｂ  上下面
１９ａ，１９ｂ  突起
Ｔ  テープ
Ｔ１  転写テープ
Ｔ２  転写層
【図１】
0004358412.tif 000002
【図２】
0004358412.tif 000003
【図３】
0004358412.tif 000004
【図４】
0004358412.tif 000005
【図５】
0004358412.tif 000006
【図６】
0004358412.tif 000007